(57)【特許請求の範囲】
【請求項１】
上面全体にわたって遊技球収容用凹部が設けられている下部受け皿と、
該遊技球収容用凹部の幅内に収納可能な箱部と該箱部が遊技球収容用凹部に収納された状態で該下部受け皿の外周壁部に懸かるガイド部とを備え、該箱部を該遊技球収容用凹部内に収納することによって該遊技球収容用凹部内に設置されるとともに、該箱部を該遊技球収容用凹部内から搬出することによって該遊技球収容用凹部内から取り外し可能に設けられている灰皿と、
該灰皿が該遊技球収容用凹部に設置された際に遊技球収容用凹部内に立設され、灰皿と遊技球収容用凹部との隙間を塞ぐ可倒片と、を備えることを特徴とするパチンコ遊技機。
【発明の詳細な説明】
【０００１】
【発明の属する技術分野】
本発明はパチンコ遊技機に関する。更に詳しく言えば、下部受け皿の賞球の収容量を大きく取ることができるパチンコ遊技機に関する。
【０００２】
【従来の技術】
従来のパチンコ遊技機においては、その正面最下段に下部受け皿が設けられており、その下部受け皿の上面に設けられている遊技球収容用凹部に、パチンコ遊技機から払い出される賞球を収容する。そして、その遊技球収容用凹部の左方には灰皿が設けられている。
ここで、パチンコ遊技機においては、上記下部受け皿及びその上方に設けられている上部受け皿をもってしても、大当たり時には、払い出されるすべての賞球を収容しきれるものではない。このため、遊技者は、大当たり時には下部受け皿の下方に玉箱を配置して、下部受け皿が満杯になる前に適宜この玉箱に下部受け皿内の賞球を排出する。
【０００３】
しかし、玉箱の配置及び玉箱への賞球の排出が遅れると、下部受け皿の遊技球収容用凹部が賞球で満たされ飽和状態となり、その後、賞球を受ける下部受け皿及び上部受け皿に通じる賞球排出路が賞球で満たされる。そして、これをパチンコ遊技機が検出すると、賞球の払出が停止されることとなる。又、同時に遊技盤内への遊技球の発射も強制的に停止される。これにより、いわゆる「パンク」等の状態が発生する可能性が出てくる。
その後、下部受け皿の飽和状態を解消すれば賞球の払出は再開され、遊技球の発射も可能となるが、その間にもパチンコ遊技機側の遊技状態は停止することなく進行するため、下部受け皿の飽和状態の解消に遊技に支障をきたすほどの時間がかかると、遊技者は遊技により獲得できたはずの賞球を獲得できないこととなる。
【０００４】
ところが、一方で、パチンコ遊技機の下部受け皿の下には常に玉箱が置かれているとは限らず、パチンコホールによっては、大当たりとなってから玉箱を設置するところもある。このため、そのようなパチンコホールにおいては、玉箱の設置及び遊技球の排出が間に合わないことがある。
【０００５】
よって、上記のような賞球の払出停止ひいては賞球の損失を招く可能性を低くするためには、玉箱の配置及び下部受け皿から玉箱への賞球の排出のために十分な時間を確保することができるように、下部受け皿に十分な収容量を確保しておくことが望ましい。
この問題を解決するための方法としては、従来灰皿が設けられていた部分にまで遊技球収容用凹部を拡張して設け、遊技球収容用凹部の遊技球の収容量を増やす方法が考えられる。
【０００６】
【発明が解決しようとする課題】
しかし、遊技者の中には依然喫煙を好むものも多く、パチンコ遊技機が灰皿を備えずパチンコ島設備にも灰皿が設けられていない場合には、喫煙者はたばこの灰及び吸い殻を始末することができない。
又、ホール内のパチンコ遊技機について、従来の灰皿を備えたパチンコ遊技機と、灰皿を備えずその分広い遊技球収容用凹部を備えるパチンコ遊技機と、を併存させ、喫煙者用遊技機と非喫煙者用遊技機とすることも考えられる。しかし、遊技者のうちの喫煙者と非喫煙者の数は流動的であり、喫煙者用遊技機と非喫煙者用遊技機とを設けた場合にはその変動に機動的に対応することができない。
【０００７】
本発明は、上記観点に鑑みてなされたものであり、灰皿を備え、しかも必要に応じて遊技球収容用凹部の遊技球収容量を拡大することができるパチンコ遊技機を提供することを目的とする。
【０００８】
【課題を解決するための手段】
第１発明のパチンコ遊技機は、上面全体にわたって遊技球収容用凹部が設けられている下部受け皿と、該遊技球収容用凹部の幅内に収納可能な箱部と該箱部が遊技球収容用凹部に収納された状態で該下部受け皿の外周壁部に懸かるガイド部とを備え、該箱部を該遊技球収容用凹部内に収納することによって該遊技球収容用凹部内に設置されるとともに、該箱部を該遊技球収容用凹部内から搬出することによって該遊技球収容用凹部内から取り外し可能に設けられている灰皿と、該灰皿が該遊技球収容用凹部に設置された際に遊技球収容用凹部内に立設され、灰皿と遊技球収容用凹部との隙間を塞ぐ可倒片と、を備えることを特徴とする。
【０００９】
【発明の実施の形態】
以下、本発明のパチンコ遊技機を実施例により詳細に説明する。図１はパチンコ遊技機の正面図、図２は灰皿を設置した状態の下部受け皿の平面図、図３は灰皿を取り除いた状態の下部受け皿の平面図、図４は灰皿の平面図、図５は灰皿の側面図、図６はパチンコ遊技機の背面図、図７は灰皿を設置した状態の下部受け皿の平面図、図８は灰皿を取り除きスライド床部を引き出した状態の下部受け皿の平面図である。
【００１０】
図９はパチンコ遊技機の下部受け皿の正面図、図１０は灰皿を回転させた状態の下部受け皿の正面図、図１１は下部受け皿上の灰皿の状態を示す断面図、図１２は灰皿を回転させた状態を示す断面図、図１３はパチンコ遊技機の下部受け皿の平面図、図１４は灰皿を回転させた状態の下部受け皿の平面図である。図１５はパチンコ遊技機の下部受け皿の平面図、図１６は灰皿を引き出した状態の下部受け皿の平面図、図１７は、従来のパチンコ遊技機の下部受け皿の平面図である。
【００１１】
〔実施例１〕
本実施例は、灰皿を取外すことができ、灰皿設置部位を区画している可倒片を倒すことにより賞球を収容することができるようになるパチンコ遊技機である。
【００１２】
（１）パチンコ遊技機の構成
本パチンコ遊技機は、図１に示すように、正面側に遊技盤１と、上部受け皿２と、下部受け皿３と、遊技球発射レバー４１と、を備えており、全体の高さが約８１０ｍｍ、幅が約５３０ｍｍである。遊技盤１は、パチンコ遊技機の正面中央の上方よりに設けられており、その遊技盤１の下方には上部受け皿２が、更にその下方に下部受け皿３が設けられている。下部受け皿３の右方には遊技盤１内に遊技球を発射するための遊技球発射レバー４１が設けられている。
【００１３】
遊技盤１は、図１に示すように、パチンコ遊技機の正面中央の上方よりに設けられており、入賞口や釘、風車、アウト口等を備えている。この遊技盤１内に上方より遊技球が落下されて、入賞口に入賞して賞球が払い出され又はアウト口に入りファールとなる等の遊技が行われる。
その遊技盤１の下方に設けられている上部受け皿２は、パチンコ遊技機内部に設けられた遊技球発射装置４（図６参照）に供給する遊技球を貯蔵するための受け皿である。
【００１４】
そして、上部受け皿２の下方に設けられている下部受け皿３は、図１に示すように、その左端がパチンコ遊技機本体の左端から３０〜７０ｍｍの場所に位置するように設けられており、図３に示すように、その上面側全体にわたって下皿凹部３１が設けられている。この下皿凹部３１は外周壁部３５に囲われているものであり、上部受け皿２に入りきらなくなった遊技球を貯蔵するためのものである。
そして、この下皿凹部３１は、下部受け皿３の上面全体に設けられている結果、その左端がパチンコ遊技機本体の左端から５０〜９０ｍｍの場所に位置するものである。
【００１５】
ここで、図３及び１７を用いて、本実施例のパチンコ遊技機の下皿凹部３１を、従来のパチンコ遊技機の下皿凹部３１ｐと比較して説明する。
図１７に示すように、従来のパチンコ遊技機は、下皿凹部３１ｐの左方に灰皿９を備えている。このため、従来の下皿凹部３１ｐは本実施例の下皿凹部３１に比べて横幅が狭くなっている。
【００１６】
これに対して本実施例のパチンコ遊技機においては、図１及び３に示すように、下皿凹部３１の左方に灰皿等が併存するように設けられていないため、その空間を有効に使用して下皿凹部３１が設けられている。即ち、下部受け皿３の下皿凹部３１は、従来の下皿凹部３１ｐに比べて横幅が広く設けられており、図３に示すような灰皿を設置しない状態において、より多くの賞球を収容することができるものである。
【００１７】
又、下部受け皿３は、図２に示すように、下皿凹部３１内の右端に灰皿３９を備えることができる。この灰皿３９は、図２、４及び５に示すように、下皿凹部３１の幅内に収まるように設けられる箱部３９１と、下部受け皿３の外周壁部３５に懸かるガイド部３９２とからなる。この箱部３９１のガイド部３９２から下の高さは、設置部分の下皿凹部３１の深さよりも短く設けられている。
【００１８】
この灰皿３９は、下皿凹部３１内において取外し可能に設置され、灰皿３９が下皿凹部３１内に設置された状態では、図１及び２に示すように、パチンコ遊技機は灰皿を備える状態となり、灰皿３９が取外された状態では、図３に示すように、パチンコ遊技機は下皿凹部３１全体を遊技球の収容に使用できる状態となる。
そして、灰皿３９は、図２に示すように、設置状態において下部受け皿３の外周壁部３５に懸かるガイド部３９２によって支えられている。
【００１９】
更に、下部受け皿３は、その底面に下皿凹部３１を左右に仕切る可倒辺３８を備える。この可倒片３８は、下皿凹部３１の底面に奥行き方向に設けられた軸を中心として立設状態から倒された状態まで９０度回動可能に設けられている。そして、立設された状態では１及び図２に示すように下皿凹部３１を左右に仕切ることとなり、倒された状態では図３に示すように下皿凹部３１と同一面となる。上記灰皿３９は、この可倒片３８が立設された状態で下皿凹部３１内に設置される。そして、図１及び２に示すように、灰皿３９の箱部３９１と下皿凹部３１の底面との隙間は可倒片３８によって塞がれ、可倒片３８と箱部３９１の右側面により、下皿凹部３１が区画され、外周壁部３５とともに下皿小凹部３１ｓの外周壁を構成する。
【００２０】
又、この下部受け皿３には、図１乃至３に示すように、その中央前面に下部受け皿玉抜きレバー３２が設けられている。この下部受け皿玉抜きレバー３２を左方向に操作することで、下皿凹部３１の底部に設けられた玉抜き口３１１のスライド式扉が開き、下皿凹部３１内の遊技球はこの玉抜き口３１１を通じて下部受け皿３下方に配置された玉箱（図示せず）に排出される。遊技者は、下部受け皿３が飽和状態に近づいた場合には、適宜、下部受け皿玉抜きレバー３２を操作して、遊技球を玉箱に排出する。
【００２１】
又、図１に示すように下部受け皿３の右方に設けられる遊技球発射レバー４１は、パチンコ遊技機内部に設けられる遊技球発射装置４（図６参照）の一部であり、遊技者がこの遊技球発射レバー４１を操作することで、遊技球発射装置４によって上部受け皿２内の遊技球が遊技盤１内に発射され、パチンコ遊技が行われる。
【００２２】
一方、図６に示すように、本実施例のパチンコ遊技機はその裏面に、賞球タンク５と、賞球樋６と、賞球払出ユニット７と、賞球払出通路８と、を備えている。
賞球タンク５は、パチンコ遊技機上部に設けられており、賞球として払い出す遊技球を貯蔵し、賞球樋６は、賞球タンク５内の遊技球を賞球払出ユニット７に送る。賞球払出ユニット７は、遊技盤１の入賞口に遊技球が入賞し、又は大入賞口に入賞して大当たりになる等すると、賞球を払い出す。その賞球は賞球払出通路８を通って、上述の上部受け皿２及び下部受け皿３（下皿凹部３１）に払い出される。
【００２３】
ここで、賞球払出通路８と、上部受け皿２、下部受け皿３の関係を説明すると、まず、賞球払出通路８の末端は下部受け皿３の下皿凹部３１に接続されている。そして、その末端よりも３０〜５０ｍｍ上流において上部受け皿２に接続されている。従って、賞球払出通路８内を流れる遊技球は、まず優先的に上流に接続されている上部受け皿２に払い出され、上部受け皿２が飽和状態となりそれ以上遊技球を受け入れられなくなったときに、下部受け皿３の下皿凹部３１に払い出される。
【００２４】
（２）パチンコ遊技機の動作
遊技盤１内において入賞口や大入賞口に遊技球が入賞すると、賞球払出ユニット７が賞球払出通路８を通じて賞球を払い出す。その際、上述したように、賞球はまず上部受け皿２に払い出される。そして、上部受け皿２が飽和状態となりそれ以上遊技球を受け入れられなくなったときに、賞球は下部受け皿３の下皿凹部３１に払い出される。
【００２５】
ここで、本実施例のパチンコ遊技機においては、下皿凹部３１内に灰皿３９を設置して使用することも可能であるし、下皿凹部３１内に灰皿３９を設置しないで使用することも可能である。
又、パチンコ遊技開始時には下皿凹部３１内に灰皿３９が設置されている状態であっても、遊技の途中で必要に応じて灰皿３９を取外すことも可能である。同様に、パチンコ遊技開始時には下皿凹部３１内に灰皿３９が設置されていない状態であっても、遊技の途中で必要に応じて灰皿３９を設置することも可能である。
【００２６】
賞球が下皿凹部３１に払い出された場合に、遊技者が下部受け皿３の下皿凹部３１から玉抜き穴３１１を通じて適宜玉箱へ遊技球を排出する場合には、下部受け皿３が飽和状態となることはない。しかし、玉箱への遊技球の排出等が行われない場合には、下部受け皿３も飽和状態となり、遊技球は、賞球払出通路８内においてその末端から順に上流に向かって貯蔵されていく。
その後、遊技球が賞球払出通路８内の満タンセンサ（図示せず）が設置されているところにまで達すると、満タンセンサを通じて主基板Ｃがこれを検知し、賞球払出ユニット７からの賞球払い出しを停止させる。そして、遊技盤内への遊技球の発射も強制的に停止させる。これにより、いわゆる「パンク」等の状態が発生する可能性が出てくる。
【００２７】
しかしその後、玉箱への遊技球の排出等を行うことにより下部受け皿３の飽和状態が解消され、下部受け皿３の下皿凹部３１に遊技球が払い出されて賞球払出通路８内に貯蔵されている遊技球が減少し、満タンセンサが遊技球を検知しなくなった場合には、主基板Ｃは、遊技状態に応じた賞球払出ユニット７からの賞球払い出しを再開させ、遊技盤内への遊技球の発射も可能となる。ただし、賞球の払出等が停止している間にもパチンコ遊技機側の遊技状態は進行するため、下部受け皿の飽和状態の解消に遊技に支障をきたすほどの時間がかかると、遊技者はパチンコ遊技により獲得できるはずの賞球を獲得できないこととなる。
【００２８】
（３）パチンコ遊技機の効果
本実施例のパチンコ遊技機においては、従来のパチンコ遊技機に比べて横幅が広く収容量が多い下皿凹部３１を備えているため、灰皿３９を取外した状態では、同程度のペースで大当たりの賞球が払い出された場合にも、下部受け皿３が飽和状態になるまでにより長い時間がかかる。
よって、大当たりとなってから、下部受け皿３が飽和状態となって賞球払出通路８内に賞球が蓄積され、賞球の払出が停止され遊技球が発射できなくなるまでの時間が長くなり、遊技者は余裕を持って下部受け皿３の下に玉箱を用意し、下皿凹部３１内の賞球を玉箱へ排出することができる。
【００２９】
又、従来のものに比べて賞球払出等が停止されるまでの時間が長くなっているため、玉箱への賞球の排出が間に合わず賞球払い出しが停止してしまった場合にも、玉箱に賞球を排出し賞球の払出及び遊技球の発射を再開させた際の、賞球払出等の停止の時間を短くすることができ、失う賞球数を少なくすることができる。
【００３０】
又、灰皿３９を装着した場合には、可倒片３８と灰皿３９の左側面により下皿凹部３１が区画され、容量は小さくなるものの下皿小凹部３１ｓを備えることとなり、同時に灰皿３９をも備えるパチンコ遊技機となる。よって、島設備に灰皿を有しないパチンコホールにおいては、喫煙者のためにパチンコ遊技機に灰皿を備え付けてそのニーズに対応することもできる。
【００３１】
更に、本パチンコ遊技機においては、下皿凹部３１内において灰皿３９を設置し取外すものである。このため、パチンコ遊技中に灰皿３９を設置したり取外したりする際にも、下皿凹部３１自体は変形したり開口したりするものではなく、その遊技球貯溜機能を保っており、遊技球が溢れ出したり遊技球が落下したりすることがない。
そして、本実施例のパチンコ遊技機は、パチンコホール内に設置した同型の任意のパチンコ遊技機について、一のパチンコ遊技機から灰皿３９を取外し他のパチンコ遊技機に設置することにより、灰皿を備えるものと、大量の賞球を収容できるものとの配置を変更することができる。
【００３２】
更に、本実施例のパチンコ遊技機は、下部受け皿３の下皿凹部３１の底部に可倒片３８を備えているため、可倒片３８を立てることにより箱部３９１の底部と下皿凹部３１の底部との間の隙間が塞がれ、その隙間に遊技球が入り込むことがない。このため、灰皿３９の下側の見えない位置に遊技球が入り込むことがなく、遊技者は残りの遊技球の目測を誤ることがない。
【００３３】
［実施例２］
本実施例は、灰皿を取外すことができ、その灰皿を取外した跡をスライド床部によりふさぐことができるパチンコ遊技機である。
【００３４】
（１）パチンコ遊技機の構成
本実施例のパチンコ遊技機は、実施例１のパチンコ遊技機とほぼ同様であるが、下部受け皿３は可倒片３８を有さず、灰皿３９の箱部３９１の高さが、下皿凹部３１の遊技球を収容する部分の深さよりも高く作られているものである。そして、下部受け皿３にはその左部上面に箱部３９１の高さよりも深い灰皿用凹部３７（図示せず）が設けられており、灰皿３９はこの灰皿用凹部３７に設置されるものである。
【００３５】
更に、下部受け皿３は、延長外周壁部３６１ａ，ｂを備えたスライド床部３６を有している。このスライド床部３６は、図７に示すように、灰皿３９が設置されている状態では、延長外周壁部３６１ａを除いて下皿凹部３１の底部内及び外周壁部３５内に収納されている。そして、灰皿３９が取外された後は、図８に示すように、灰皿３９が設置されていた部分にスライドして灰皿用凹部３７を塞ぎ、下皿凹部３１の底部の一部を構成して、延長外周壁部３６１ａ，ｂは外周壁部３５とともに下皿凹部３１の外周を区画するものである。
【００３６】
（２）パチンコ遊技機の効果
本実施例のパチンコ遊技機は、実施例１のパチンコ遊技機と略同様の効果を有する。即ち、灰皿３９が設置されず、スライド床部３６によって大容量の下皿凹部３１が構成されている場合には、賞球の払出停止及び遊技球の発射停止までの時間を長くすることができ、賞球を失う可能性を低くすることができる。そして、必要に応じてスライド床部３６を収納し灰皿３９を備える状態とすることができ、喫煙者のニーズに応えることができる。
【００３７】
更に本実施例のパチンコ遊技機は、以下のような効果を有する。
即ち、本実施例のパチンコ遊技機は、実施例１に比べて深さが深く大容量の灰皿３９を有する。従って、実施例１に比べてより実用性の高い灰皿を備えるものである。しかも、スライド床部３６により灰皿３９が設置されていた灰皿用凹部３７を覆って下皿凹部３１の底部を構成するものであるため、灰皿３９を取外した後が下皿凹部３１の底面に凹部となって残ることがない。灰皿３９が下皿凹部３１内に直接設置され、下皿凹部３１内の灰皿設置跡に凹部が残る場合には、その凹部に遊技球が溜まった場合には玉抜き穴３１１からその遊技球を排出することができないが、本実施例においてはそのようなことがない。
【００３８】
［実施例３］
本実施例は、灰皿を移動させることができるパチンコ遊技機である。
【００３９】
（１）パチンコ遊技機の構成
本実施例のパチンコ遊技機は、実施例１のパチンコ遊技機とほぼ同様であるが、灰皿３９は取外し可能に設けられるものではなく、下皿凹部３１外部へ回動可能に設置されるものである。
即ち、この灰皿３９は、図９乃至１２に示すように、下部受け皿３の左部分において下部手前側に左右方向に設けられた軸を中心として、回動可能に設置されている。そうして、灰皿３９が使用可能な状態においては、図９及び１１に示すように灰皿３９は下部受け皿３の下皿凹部３１内に位置しており、灰皿３９が手前側に９０度回動されると、図１０及び１２に示すように灰皿３９が位置していた下皿凹部３１の部分は遊技球を収容可能になる。即ち、下皿凹部３１の遊技球収容量が拡大されるものである。
【００４０】
尚、灰皿３９の箱部３９１の底部は、灰皿３９が手前側に９０度回動された状態において、外周壁部３５とともに下皿凹部３１を囲う壁となるものである。この箱部３９１の底部を、図１３及び１４に示すように、灰皿３９が手前側に９０度回動された状態において外周壁部３５と連続的に一体となるような形状に設けておくこともできる。
【００４１】
（２）パチンコ遊技機の効果
本実施例のパチンコ遊技機は、実施例１のパチンコ遊技機と略同様の効果を有する。
即ち、灰皿３９が手前側に９０度回動された状態においては、下部受け皿３の上面全体に設けられた下皿凹部３１内に大量の遊技球を収容することができ、賞球の払出停止及び遊技球の発射停止までの時間を長くすることができるため、賞球を失う可能性を低くすることができる。そして、必要に応じて灰皿３９を後方に倒して利用可能な状態とし、喫煙者のニーズに応えることができる。
【００４２】
又、本実施例のパチンコ遊技機においては、灰皿３９は取外すものではなく、回動可能ではあるがパチンコ遊技機に固定的に設けられている。このため、パチンコ遊技機を大量の賞球を収容できるようにしたり、灰皿３９が利用できるようにする場合にも、他のパーツが必要ない。従って、遊技者はホール従業員等を呼ぶことなく、必要に応じて即時に灰皿３９を準備することができ、又、大量の賞球を収容できるようにすることができる。
【００４３】
尚、本実施例においては、灰皿３９は手前側に回動可能に設けられているが、図１５及び１６に示すように、これを手前側の下皿凹部３１外部に平行移動可能に設けることもできる。そうすることで、必要に応じて即時に下皿凹部３１の実質的な容量を拡大することができ、その状態においても灰皿３９を利用することが可能である。又、灰皿３９は平行に移動するものであるため、すでに灰皿３９に灰や吸い殻を捨ててしまった後にも、灰をこぼすことなく、灰皿３９を手前側に移動させて下皿凹部３１の実質的な容量を拡大することができる。
【００４４】
尚、本発明は、上記具体的な実施例に示すものに限らず、目的、用途に応じて本発明の範囲内で種々変更した別の実施の形態をとることができる。
即ち、下皿凹部は下部受け皿のほぼ全面に設けられており、その下皿凹部の左端がパチンコ遊技機本体の左端から、パチンコ遊技機本体の全幅の２０％以内の位置であれば、どのようなものであってもよい。
又、回動可能に設けられる実施例１の可倒辺３８や実施例３の灰皿３９は、軸支される態様に限られるものではなく、回動可能に設けられていれば他の態様によるものであってもよい。
【００４５】
【発明の効果】
請求項１記載のパチンコ遊技機は、下部受け皿の上面全体にわたって遊技球収容用凹部が設けられているため、灰皿を遊技球収容用凹部の隣に併存させていた従来のパチンコ遊技機に比べて、遊技球収容用凹部を大きく設けることができる。このため、必要に応じて遊技球収容用凹部内に設けられた灰皿を取外し、大量の賞球を収容することができる。
【００４６】
よって、灰皿を取外した状態においては、パチンコ遊技機が大当たり状態になってから、払い出される賞球によって下部受け皿が飽和状態になるまでの時間が長く、受け皿の飽和による賞球の払出停止及び遊技球の発射停止までの時間が長い。このため、遊技者はその間に余裕を持って玉箱を準備し、その玉箱に遊技球収容用凹部内の遊技球を排出することができ、遊技者が賞球の獲得を逃す可能性が低く、又、獲得できるはずの賞球を失ったとしてもその数を少なくすることができる。
【００４７】
又、請求項１記載のパチンコ遊技機は、遊技球収容用凹部内に取外し可能に設けられている灰皿を備えるため、必要に応じて灰皿を設置し、喫煙者の要求に応えることができる。
更に、灰皿は遊技球収容用凹部内において設置されるものであるため、灰皿の取外しには灰皿に代る他のパーツが必要ない。よって、遊技者自身も、ホール従業員等を呼ぶ必要がなくその場で灰皿の取外しが可能であり、大当たり等の場合にも迅速に遊技球の収容量拡張を行うことができる。
【００４８】
そして、灰皿は遊技球収容用凹部内に設けられているため、灰皿の取り付け取外しの際にも、遊技球収容用凹部は一定形状であり開口ができたりすることがない。このため、遊技中に灰皿の取り付け取外しを行っても、遊技球は溢れ出したり、落下したりすることがない。
【００４９】
更に、パチンコ遊技機を島設備に設置した後にも、同型機間で灰皿を移設することにより、パチンコ遊技機を交換することなく、そのパチンコ遊技機を灰皿を有するものとしたり、大量の賞球を収容できるものとしたりすることができる。そして、パチンコホール内で禁煙台の位置を変更したり、数を増減させたりする場合にも容易に対応することができる。
【００５０】
【００５１】
【図面の簡単な説明】
【図１】パチンコ遊技機の正面図である。
【図２】灰皿を設置した状態の下部受け皿の平面図である。
【図３】灰皿を取り除いた状態の下部受け皿の平面図である。
【図４】灰皿の平面図である。
【図５】灰皿の側面図である。
【図６】パチンコ遊技機の背面図である。
【図７】灰皿を設置した状態の下部受け皿の平面図である。
【図８】灰皿を取り除きスライド床部を引き出した状態の下部受け皿の平面図である。
【図９】パチンコ遊技機の下部受け皿の正面図である。
【図１０】灰皿を回転させた状態の下部受け皿の正面図である。
【図１１】下部受け皿上の灰皿の状態を示す断面図である。
【図１２】灰皿を回転させた状態を示す断面図である。
【図１３】パチンコ遊技機の下部受け皿の平面図である。
【図１４】灰皿を回転させた状態の下部受け皿の平面図である。
【図１５】パチンコ遊技機の下部受け皿の平面図である。
【図１６】灰皿を引き出した状態の下部受け皿の平面図である。
【図１７】従来のパチンコ遊技機の下部受け皿の平面図である。
【符号の説明】
１；遊技盤、２；上部受け皿、３；下部受け皿、３１；下皿凹部（遊技球収容用凹部）、３１ｓ；下皿小凹部、３１１；玉抜き口、３２；下部受け皿玉抜きレバー、３５；外周壁部、３６；スライド床部、３６１ａ，ｂ；延長外周壁部、３７；灰皿用凹部、３８；可倒辺、３９；灰皿、３９１；箱部、３９２；ガイド部、４；遊技球発射装置、４１；遊技球発射レバー、９；灰皿、Ｃ；主基板。
【図１】
0004019289.tif 000002
【図２】
0004019289.tif 000003
【図３】
0004019289.tif 000004
【図４】
0004019289.tif 000005
【図５】
0004019289.tif 000006
【図６】
0004019289.tif 000007
【図７】
0004019289.tif 000008
【図８】
0004019289.tif 000009
【図９】
0004019289.tif 000010
【図１０】
0004019289.tif 000011
【図１１】
0004019289.tif 000012
【図１２】
0004019289.tif 000013
【図１３】
0004019289.tif 000014
【図１４】
0004019289.tif 000015
【図１５】
0004019289.tif 000016
【図１６】
0004019289.tif 000017
【図１７】
0004019289.tif 000018